(57)【要約】      （修正有）【課題】加工時にかかる作業時間と工程を減らすことができるスーツケースの連結ベルトリングを提供する。【解決手段】スーツケースの連結ベルトリングに関し、スーツケースの連結ベルトリングは、スーツケースに固定されるものであり、縫製シート１０とリング部材１１とを備える。縫製シートはリング部材に対して垂直となり、縫製シートは、スーツケースの内装布と同様な加工方法でスーツケース内に固定される。工程を簡略化できるこのようなスーツケースの連結ベルトリングを提供することで、製造効率の向上と、連結ベルトリングの摩損の軽減とを図る。【選択図】図１
0003191833.tif 000002
【実用新案登録請求の範囲】
【請求項１】
軟質の薄板である縫製シートと、
該縫製シートに対して垂直となるように一方端部が該縫製シートの一方端部と接続し、  両側面を貫通した連結ベルト穴を有するリング部材と、
を備えたスーツケースの連結ベルトリング。
【考案の詳細な説明】
【技術分野】
【０００１】
本考案はスーツケースの連結ベルトリングに関し、特にスーツケース内において連結ベルトをスーツケースの壁面に固定するための連結ベルトリングに関する。
【背景技術】
【０００２】
スーツケースは一般的に、内容物を固定するための連結ベルトを有し、該連結ベルトは、スーツケースのケース本体に固定されている。従来の連結ベルトは殆ど、ブロック体と、リベット又はネジとの組み合わせによってケース本体に固定される。図６及び図７に示すように、連結ベルト４０の一方の端部がリベット２１によって該ブロック体２０と該スーツケース３０との間に挟まれて固定されている。
【考案の概要】
【考案が解決しようとする課題】
【０００３】
しかしながら、該連結ベルトを該スーツケースに固定する加工方法と違って、内装布は一般的に縫製によって該スーツケースに固定されることから、製造時に異なる加工方法を用いなければならないため、製造業者にとってより多くの工程と作業時間がかかることになる。
【０００４】
また、図６に示すように、該連結ベルトが該ブロック体と該スーツケースとの間に挟まれて固定されている部分と、該連結ベルトが挟まれて固定されていない部分とが互いに垂直となるように該連結ベルトは湾曲しており、長時間の使用と引っ張りにより、該湾曲部位では、集中的に力が作用することに起因する摩損ひいては裂断が発生しやすい。
【０００５】
本考案はこの問題を鑑みてなされたものであり、その目的は、従来技術の装置を改良し、加工時にかかる作業時間と工程を減らすことにある。また、本考案のもう一つの特徴は、長時間の使用による該連結ベルトの摩損を減らすことにある。
【課題を解決するための手段】
【０００６】
上記目的を達成するために、本考案において用いられた技術的手段は、軟質の薄板であってスーツケースのケース本体に固定されるための縫製シートと、該縫製シートに対して垂直となるように一方端部が該縫製シートの一方端部と接続するリング部材とを備えたスーツケースの連結ベルトリングを提供することである。
【０００７】
本考案によれば、該スーツケースの連結ベルトリングを縫製手段によってスーツケースのケース本体内側に固定することができ、すなわち、該スーツケースの連結ベルトリングと、一般のスーツケースの内装布とは加工方法が同様であるため、工程と作業時間が減り、製造効率が上昇する。また、該スーツケースの連結ベルトリングを使用することで、該連結ベルトはスムーズに弧状となるように湾曲し、引っ張られる際に力が均等に分散されるため、長時間の使用による該連結ベルトの摩損が軽減する。
【０００８】
前記スーツケースの連結ベルトリングにおいて、該連結ベルトリングは両側面を貫通した連結ベルト穴を有してもよい。該連結ベルト穴は、連結ベルトを挿設するためのものであり、該縫製シートに対して垂直となる。
【図面の簡単な説明】
【０００９】
【図１】スーツケースの連結ベルトリングを示す斜視図である。
【図２】取り付けられた状態のスーツケースの連結ベルトリングを示す断面図である。
【図３】本考案に係るスーツケースの連結ベルトリングの第一使用例を示す図である。
【図４】本考案に係るスーツケースの連結ベルトリングの第二使用例を示す図である。
【図５】本考案に係るスーツケースの連結ベルトリングの第三使用例を示す図である。
【図６】組み付けられた状態の従来技術を示す断面図である。
【図７】従来技術の使用例を示す図である。
【考案を実施するための形態】
【００１０】
以下、図面及び本考案の好ましい実施形態を参照しながら、本考案の目的を達成するために用いられた技術的手段を更に説明する。
【００１１】
図１に示すように、本考案に係るスーツケースの連結ベルトリングは、縫製シート１０とリング部材１１とを備える。該縫製シート１０は、矩形状である軟質のプラスチック製薄板を有する。該リング部材１１の一方の長辺は、該縫製シート１０の一方の長辺に形成され、且つ該縫製シート１０及び該リング部材１１は互いに垂直となる。該リング部材１１には、連結ベルト穴１２が穿設されている。
【００１２】
図２及び図３に示すように、本考案に係るスーツケースの連結ベルトリングは、縫製によってスーツケース３０内の壁部に固定されている。スーツケース３０内には、４つの本考案に係る連結ベルトリングが設けられている。
連結ベルトリングのそれぞれは、該スーツケース３０における対応する角部に隣接し、該スーツケース３０内の対向する２つの壁部にそれぞれ、２つの連結ベルトリングが設けられている。２本の連結ベルト４０の両端それぞれを対応するリング部材１１の連結ベルト穴１２に挿設することで、該連結ベルト４０を該リング部材１１に固定する。該２本の連結ベルト４０は、バックル５０によって接続される。
【００１３】
図４に示すように、本考案の第二使用例では、該スーツケース３０内に４つの本考案に係る連結ベルトリングが設けられており、それらの連結ベルトリングは、縫製によって該スーツケース３０の４つの角部にそれぞれ固定されている。
【００１４】
図５に示すように、本考案の第三使用例では、該スーツケース３０内に２つの本考案に係る連結ベルトリングが設けられており、それらの連結ベルトリングは、縫製によって該スーツケース３０内の対向する２つの壁部に固定されている。
【００１５】
本考案を使用する際には、縫製によって該スーツケースのリング部材１１の縫製シート１０を該スーツケース３０のケース本体３０の内側に固定することができ、該スーツケース３０の内装布と加工方法が同様であるため、工程と作業時間が減り、製造効率が上昇する。また、該リング部材１１によって該連結ベルト４０はスムーズに１８０度の弧状となるように湾曲し、引っ張られる際に力が均等に分散されるため、長時間の使用による該連結ベルト４０の摩損が軽減する。
【００１６】
以上は本考案の好ましい実施形態の説明に過ぎず、本考案を如何なる形にも限定するものではない。通常の知識を有する当該分野の者が、本考案の技術要旨を逸脱しない範囲で、以上に開示された技術内容に基づいてなされた同等効果を有する如何なる簡単な修正或いは変更も、いずれも本考案の保護範囲内に含まれるものとする。
【符号の説明】
【００１７】
１０  縫製シート
１１  リング部材
１２  連結ベルト穴
２０  ブロック体
２１  リベット
３０  スーツケース
４０  連結ベルト
５０  バックル
【図１】
0003191833.tif 000003
【図２】
0003191833.tif 000004
【図３】
0003191833.tif 000005
【図４】
0003191833.tif 000006
【図５】
0003191833.tif 000007
【図６】
0003191833.tif 000008
【図７】
0003191833.tif 000009